(57)【特許請求の範囲】
【請求項１】
吹出口を有する筒状のハウジングと、前記吹出口の内周面に対向して設けられたルーバとを備えた空調用レジスタにおいて、
前記ルーバは、前記筒状のハウジングに軸支され、同軸支部分を中心に回動可能な中央フィンと、前記中央フィンを挟んで設けられた複数の補助フィンとを有するものであり、
前記中央フィンに対して、前記補助フィンの上流側の端が近接するとともに前記補助フィンの下流側の端が離間するように、前記中央フィンに対して複数の前記補助フィンをそれぞれ傾動させる傾動機構と、
前記中央フィンに対する角度が固定された状態で複数の前記補助フィンを中央フィンとともに回動させる回動機構とを備え、
同回動機構は、中央フィンの延設方向の両端に設けられ、上下方向に延出されたアーム部と、
前記補助フィンの延設方向の両端に設けられた凹部とを備え、
前記アーム部の先端部に支持孔が形成され、前記凹部に支持軸部が突出形成され、前記支持軸部が前記支持孔に挿通されることにより、前記補助フィンが回動可能に支持される、
空調用レジスタ。
【請求項２】
前記補助フィンの各々は、互いに間隔をおいて対向配置された複数のフィン体と、複数の前記フィン体を互いに連結する連結部とをそれぞれ備えており、
前記凹部が連結部に形成されている、
請求項１に記載の空調用レジスタ。
【請求項３】
前記補助フィンの各々には、互いに平行に延びる傾動軸部が設けられており、
前記傾動機構は、前記中央フィンに対して複数の前記補助フィンをそれぞれ傾動させるべく前記傾動軸部の各々を案内する案内部を有する操作部材を備えている、
請求項１または請求項２に記載の空調用レジスタ。
【請求項４】
前記中央フィンと隣り合う前記補助フィンの上流側の端が、前記中央フィンの上流側の端よりもエアの流れ方向における上流側にそれぞれ位置している、
請求項１〜請求項３のいずれか一項に記載の空調用レジスタ。
【請求項５】
前記中央フィンのフィン体は上流側に向けて断面先細状をなしている、
請求項１〜請求項４のいずれか一項に記載の空調用レジスタ。
【請求項６】
前記回動機構は、エアの吹出し方向を変更すべく前記ハウジングに対して前記ルーバ全体を回動させるものである、
請求項１〜請求項５のいずれか一項に記載の空調用レジスタ。
【発明の詳細な説明】
【技術分野】
【０００１】
本発明は、吹出口を有するハウジングと、吹出口の内周面に対向して設けられたルーバとを備えた空調用レジスタに関する。
【背景技術】
【０００２】
特許文献１には、拡散送風モードに切り換え可能な自動車の空調用レジスタが開示されている。特許文献１に記載の空調用レジスタは、上下に延びる複数の縦フィンを有する上流側ルーバと、左右に延びる複数の横フィンを有する下流側ルーバとを備えている。
【０００３】
上流側ルーバの複数の縦フィンは、中央フィンと、中央フィンを挟んで設けられた複数の補助フィンとからなる。また、中央フィンに対して、補助フィンの上流側の端が近接するとともに補助フィンの下流側の端が離間するように、中央フィンに対して補助フィンをそれぞれ傾動させることで上記拡散送風モードを実現する傾動機構が設けられている。
【先行技術文献】
【特許文献】
【０００４】
【特許文献１】特開２００２−１０３９５３号公報
【発明の概要】
【発明が解決しようとする課題】
【０００５】
ところで、特許文献１に記載の空調用レジスタの場合、エアの流れを拡散させる機能を有する上流側ルーバが、下流側ルーバよりも上流側に設けられている。そのため、上流側ルーバを通過することにより拡散されたエアの流れが下流側ルーバを通過することにより収束されることとなる。また、上流側ルーバよりも下流側に位置するハウジングの内壁にエアが衝突することによってもその流れが阻害されることとなる。これらのことから、吹出口から吹き出されるエアを効果的に拡散させることができない。
【０００６】
本発明の目的は、吹出口から吹き出されるエアを効果的に拡散させることのできる空調用レジスタを提供することにある。
【課題を解決するための手段】
【０００７】
上記目的を達成するための空調用レジスタは、吹出口を有するハウジングと、前記吹出口の内周面に対向して設けられたルーバとを備えており、前記ルーバは、中央フィンと、前記中央フィンを挟んで設けられた複数の補助フィンとを有するものであり、前記中央フィンに対して、前記補助フィンの上流側の端が近接するとともに前記補助フィンの下流側の端が離間するように、前記中央フィンに対して複数の前記補助フィンをそれぞれ傾動させる傾動機構を備えている。
【０００８】
同構成によれば、傾動機構を操作することにより、ルーバの中央フィンに対して複数の補助フィンがそれぞれ傾動される。このため、エアは補助フィンの各々に沿って下流側に向けて中央フィンから離間するようにそれぞれ流れるようになる。また、こうしたルーバが吹出口の内周面に対向して設けられているため、ルーバにより拡散されたエアの流れがハウジングなどの空調用レジスタの構成により阻害されるおそれがない。したがって、吹出口から吹き出されるエアを効果的に拡散させることのできる。
【０００９】
前記補助フィンの各々は、互いに間隔をおいて対向配置された複数のフィン体と、複数の前記フィン体を連結する連結部とをそれぞれ備えていることが好ましい。
同構成によれば、補助フィンの各々における複数のフィン体の間を通じてエアが流れるようになる。このため、補助フィンのフィン体に沿ってエアを拡散させることが容易にできる。
【００１０】
前記補助フィンの各々には、互いに平行に延びる傾動軸部が設けられており、前記傾動機構は、前記中央フィンに対して複数の前記補助フィンをそれぞれ傾動させるべく前記傾動軸部の各々を案内する案内部を有する操作部材を備えていることが好ましい。
【００１１】
同構成によれば、操作部材の案内部により傾動軸部の各々が案内されることで、中央フィンに対して複数の補助フィンがそれぞれ傾動される。したがって、傾動機構の構成を簡易なものとすることができる。
【００１２】
前記中央フィンと隣り合う前記補助フィンの上流側の端が、前記中央フィンの上流側の端よりもエアの流れ方向における上流側にそれぞれ位置していることが好ましい。
同構成によれば、中央フィンに対して複数の補助フィンがそれぞれ傾動された状態において、補助フィンの各々における中央フィンと隣り合うフィン体の上流側の端同士を互いに近接させることができる。このため、補助フィンと中央フィンとの間をエアが通り抜けることを抑制することができる。したがって、補助フィンのフィン体に沿ってエアを効果的に拡散させることができる。
【００１３】
前記中央フィンのフィン体は上流側に向けて断面先細状をなしていることが好ましい。
同構成によれば、中央フィンに対して複数の補助フィンがそれぞれ傾動された状態において、補助フィンの各々における中央フィンと隣り合うフィン体の上流側の端同士を互いに近接させることができる。このため、補助フィンと中央フィンとの間をエアが通り抜けることを抑制することができる。したがって、補助フィンのフィン体に沿ってエアを効果的に流すことができる。
【００１４】
エアの吹出し方向を変更すべく前記ハウジングに対して前記ルーバ全体を回動させる回動機構を備えていることが好ましい。
同構成によれば、エアを拡散させることに加えて、エアの吹出し方向を変更することができる。
【発明の効果】
【００１５】
本発明によれば、吹出口から吹き出されるエアを効果的に拡散させることができる。
【図面の簡単な説明】
【００１６】
【図１】空調用レジスタの第１実施形態について、空調用レジスタの全体を示す斜視図。
【図２】同実施形態の空調用レジスタにおける上流側の構成部品を分解して示す分解斜視図。
【図３】同実施形態の空調用レジスタにおける下流側の構成部品を分解して示す分解斜視図。
【図４】同実施形態における拡散送風モードのときの空調用レジスタの断面図。
【図５】図１の５−５線に沿った断面図であって、ニュートラル送風モードのときの空調用レジスタの断面図。
【図６】図５に対応する断面図であって、拡散送風モードのときの空調用レジスタの断面図。
【図７】図１の７−７線に沿った断面図であって、ニュートラル送風モードのときの空調用レジスタの断面図。
【図８】図７に対応する断面図であって、ニュートラル送風モードであり、且つ下流側ルーバによるエアの吹出し方向が斜め上方に向けられているときの断面図。
【図９】図７に対応する断面図であって、拡散送風モードのときの空調用レジスタの断面図。
【図１０】図７に対応する断面図であって、拡散送風モードであり、且つ下流側ルーバによるエアの吹出し方向が斜め上方に向けられているときの空調用レジスタの断面図。
【図１１】第２実施形態における空調用レジスタの正面図。
【図１２】同実施形態の空調用レジスタの断面図であって、（ａ）は図１１の１２ａ−１２ａ線に沿った断面図、（ｂ）は１２ｂ−１２ｂ線に沿った断面図。
【図１３】同実施形態における拡散送風モードのときの空調用レジスタの断面図であって、（ａ）は図１２（ａ）に対応する断面図、（ｂ）は図１２（ｂ）に対応する断面図。
【発明を実施するための形態】
【００１７】
＜第１実施形態＞
以下、図１〜図１０を参照して、空調用レジスタを自動車の空調用レジスタ（以下、単にレジスタ１０と称する。）として具体化した一実施形態について説明する。
【００１８】
なお、以降において、レジスタ１０内におけるエアの流れ方向の上流側及び下流側を単に上流側及び下流側とそれぞれ称する。
図１〜図９に示すように、レジスタ１０は、四角筒状のリテーナ１２と、リテーナ１２の下流側に組み付けられるベゼル９０とを備えている。リテーナ１２とベゼル９０とによりハウジング１１が構成される。
【００１９】
＜リテーナ１２＞
図１〜図１０に示すように、リテーナ１２は、上流側リテーナ２０と下流側リテーナ３０とに分割して構成されている。上流側リテーナ２０及び下流側リテーナ３０は共に硬質合成樹脂によって形成されている。
【００２０】
＜上流側リテーナ２０＞
図２に示すように、上流側リテーナ２０の上壁及び下壁における下流側の端には、複数（本実施形態では５つ）の挿通凹部２１が左右方向に互いに間隔をおいてそれぞれ形成されている。上流側リテーナ２０の上壁及び下壁の外周面には、左右一対の係止爪２６がそれぞれ突設されている。上流側リテーナ２０の両側壁の外周面には、係止爪２６がそれぞれ突設されている。また、上流側リテーナ２０の上壁、下壁及び両側壁の外周面には、係止爪２６を囲むとともに下流側に向けて開放されて後述する下流側リテーナ３０の延出片３５の組み付けをガイドするＵ字状のガイド部２５がそれぞれ突設されている。
【００２１】
＜下流側リテーナ３０＞
図２及び図３に示すように、下流側リテーナ３０の上壁及び下壁における上流側の端には、上流側リテーナ２０の複数の挿通凹部２１に対応して複数（本実施形態では５つ）の挿通凹部３１がそれぞれ形成されている。下流側リテーナ３０の上壁、下壁及び両側壁の外周面における上流側の端部には、上流側に向けて延出された複数の延出片３５が上流側リテーナ２０の係止爪２６に対応してそれぞれ設けられている。延出片３５には、上記係止爪２６に係止される係止孔３６がそれぞれ形成されている。
【００２２】
図２〜図４に示すように、下流側リテーナ３０の上壁及び下壁の外周面には、上方及び下方にそれぞれ突出するとともに屈曲して同上壁の上流側の端及び同下壁の上流側の端よりも上流側まで延出した支持アーム３２が挿通凹部３１に対応してそれぞれ形成されている。支持アーム３２には、支持孔３３が形成されている。
【００２３】
また、図２、図３及び図７に示すように、下流側リテーナ３０の上壁及び下壁の外周面には、左右一対の係止爪３７がそれぞれ形成されている。
図２及び図３に示すように、下流側リテーナ３０の一方（同図の左方）の側壁には、支持孔３８が形成されている。下流側リテーナ３０における他方（同図の右方）の側壁の内側には、後述する操作ダイヤル７０を収容する収容凹部３４が形成されている。また、上記他方の側壁には、上記支持孔３８と同一軸線上に位置し、後述するシム７５が嵌入される挿通孔３９が形成されている。
【００２４】
＜上流側ルーバ４０＞
図２に示すように、上流側リテーナ２０と下流側リテーナ３０との間には、上流側ルーバ４０が設けられている。上流側ルーバ４０は、左右方向に互いに間隔をおいて配置された複数（本実施形態では５つ）の縦フィン４１，４２を有している。縦フィン４１，４２のフィン本体４３の上端及び下端には、上下方向において互いに反対向きに突出し、且つ同一軸線上に位置する一対の回動軸部４５が形成されている。
【００２５】
図２及び図４に示すように、上下一対の回動軸部４５の先端外周面は、先端側ほどそれぞれ縮径されており、上下一対の支持アーム３２の支持孔３３の開口縁にそれぞれ接触している。上下一対の回動軸部４５は、上下一対の支持アーム３２の弾性変形からの復元力により押圧されるとともに回動可能に支持されている。
【００２６】
各縦フィン４１，４２の上端には、連結軸部４６が上方に向けて突設されている。複数の連結軸部４６は、ロッド４８の複数の連結孔４９にそれぞれ挿通される。各縦フィン４１，４２及びロッド４８はいずれも硬質合成樹脂により形成されている。
【００２７】
左右方向の中央に位置する縦フィン４１は、上下方向に沿って延びる従動軸部４４を有している。
上流側リテーナ２０の上下一対の挿通凹部２１と下流側リテーナ３０の上下一対の挿通凹部３１とにより回動軸部４５がそれぞれ挟まれた状態において、上流側リテーナ２０の係止爪２６を下流側リテーナ３０の係止孔３６に係止することにより、上流側リテーナ２０と下流側リテーナ３０とが互いに組み付けられる。そして、上流側リテーナ２０の挿通凹部２１と下流側リテーナ３０の挿通凹部３１とによって、縦フィン４１，４２の回動軸部４５が挿通される挿通孔１３が形成される。
【００２８】
＜下流側ルーバ５０＞
図３に示すように、下流側リテーナ３０の両側壁の間には、中央フィン５１と、中央フィン５１の上方及び下方にそれぞれ位置する補助フィン５６，６２とを有する下流側ルーバ５０が設けられている。中央フィン５１及び補助フィン５６，６２は、いずれも横フィンである。
【００２９】
中央フィン５１は、左右方向に沿って延びるフィン体５２を有しており、フィン体５２の延設方向の一端（同図の左端）には、上記支持孔３８に挿通される軸部（図示略）が突設されている。また、フィン体５２における延設方向の他端（同図の右端）には、操作軸部５３が突設されている。
【００３０】
フィン体５２における延設方向の両端には、上方及び下方に延出されたアーム部５４がそれぞれ設けられている。各アーム部５４の先端部には、支持孔５５がそれぞれ形成されている。
【００３１】
上側補助フィン５６は、左右方向に沿って延びるとともに上下方向に互いに離間して設けられた内側フィン体５７及び外側フィン体５８を有しており、これらフィン体５７，５８は上記延設方向の両端においてそれぞれ連結部５９を介して互いに連結されている。
【００３２】
図３に示すように、両方の連結部５９の外側端面には、中央フィン５１における上側のアーム部５４の先端部を収容する凹部５９ａがそれぞれ形成されている。これら凹部５９ａには、上記延設方向に沿って突出した支持軸部６０がそれぞれ形成されている。両方の支持軸部６０が上側のアーム部５４の支持孔５５にそれぞれ挿通されることにより、上側補助フィン５６が中央フィン５１に対して回動可能に支持される。
【００３３】
また、上側補助フィン５６の一方（同図の右方）の連結部５９には、上記延設方向に沿って突出する傾動軸部６１が形成されている。傾動軸部６１は、支持軸部６０よりも下流側に位置している。
【００３４】
下側補助フィン６２は、上側補助フィン５６を上下反転させた形状を有している。すなわち、
下側補助フィン６２は、左右方向に沿って延びるとともに上下方向に互いに離間して設けられた内側フィン体６３及び外側フィン体６４を有しており、これらフィン体６３，６４は上記延設方向の両端においてそれぞれ連結部６５を介して互いに連結されている。
【００３５】
図３に示すように、両方の連結部６５の外側端面には、中央フィン５１における下側のアーム部５４の先端部を収容する凹部６５ａがそれぞれ形成されている。これら凹部６５ａには、上記延設方向に沿って突出した支持軸部６６がそれぞれ形成されている。両方の支持軸部６６が下側のアーム部５４の支持孔５５にそれぞれ挿通されることにより、下側補助フィン６２が中央フィン５１に対して回動可能に支持される。
【００３６】
また、下側補助フィン６２の一方（同図の右方）の連結部６５には、上記延設方向に沿って突出する傾動軸部６７が形成されている。傾動軸部６７は、支持軸部６６よりも下流側に位置している。
【００３７】
図７に示すように、中央フィン５１のフィン体５２、補助フィン５６，６２の内側フィン体５７，６３は、いずれもエアの流れ方向における中央部の厚さが最も大きくされており、同中央部よりも上流側に向けて断面先細状をなし、且つ同中央部よりも下流側に向けて断面先細状をなしている。補助フィン５６，６２の外側フィン体５８，６４は、いずれも上流側に向けて断面先細状をなしている。
【００３８】
図３、図７、及び図８に示すように、外側フィン体５８の上流側の端には、下流側リテーナ３０の上部内周面に向けて突出する突部５８ａが上記延設方向の全体にわたって形成されている。外側フィン体６４の上流側の端には、下流側リテーナ３０の下部内周面に向けて突出する突部６４ａが上記延設方向の全体にわたって形成されている。
【００３９】
図７に示すように、中央フィン５１のフィン体５２の断面長さ（同図の左右方向の長さ）は、補助フィン５６，６２の内側フィン体５７，６３の断面長さよりも短くされており、補助フィン５６，６２の外側フィン体５８，６４の断面長さよりも長くされている。そして、各フィン体５２，５７，５８，６３，６４が互いに平行をなす状態において、補助フィン５６，６２における内側フィン体５７，６３の上流側の端が、中央フィン５１におけるフィン体５２の上流側の端よりも上流側にそれぞれ位置している。
【００４０】
＜操作ダイヤル７０＞
図３、図５及び図６に示すように、下流側リテーナ３０の収容凹部３４には、中心孔７１を有する操作ダイヤル７０が収容される。操作ダイヤル７０の中心孔７１には、中央フィン５１の操作軸部５３が挿通されている。
【００４１】
図４〜図６に示すように、操作ダイヤル７０における中央フィン５１に対向する端面には、いずれも円弧状をなすとともに同図における時計回り方向の前方ほど外周側に位置する第１案内溝７２及び第２案内溝７３が形成されている。図５及び図６に示すように、第１案内溝７２には、上側補助フィン５６の傾動軸部６１が挿通されている。第２案内溝７３には、下側補助フィン６２の傾動軸部６７が挿通されている。
【００４２】
図３に示すように、下流側リテーナ３０の挿通孔３９には、軟質樹脂材料からなる筒状のシム７５が回動不能に嵌入される。このシム７５の先端部は、操作ダイヤル７０における中央フィン５１とは反対側（同図の右側）の端面の中心に形成された凹部７４に相対回動可能に内嵌される。また、このシム７５には、上記操作軸部５３が回動可能に内嵌される。したがって、操作ダイヤル７０は、シム７５及び操作軸部５３の双方に対して回動可能に設けられている。
【００４３】
図５に示すように、傾動軸部６１，６７が案内溝７２，７３の同図における時計回り方向の前端に位置しているときには、中央フィン５１のフィン体５２、上側補助フィン５６の各フィン体５７，５８、下側補助フィン６２の各フィン体６３，６４が互いに平行をなす（以下、ニュートラル送風モードと称する。）。
【００４４】
図６に示すように、傾動軸部６１，６７が案内溝７２，７３の同図における時計回り方向の後端に位置しているときには、補助フィン５６，６２が中央フィン５１に対して以下の態様にて傾けられる。すなわち、ニュートラル送風モードのときに比べて、補助フィン５６，６２の上流側の端が中央フィン５１に近接するとともに補助フィン５６，６２の下流側の端が中央フィン５１から離間する（以下、拡散送風モードと称する。）。
【００４５】
このように本実施形態のレジスタ１０は、中央フィン５１に対して一対の補助フィン５６，６２をそれぞれ傾動させる傾動機構６８を備えている。
＜操作ノブ８０＞
図１、図３及び図４に示すように、下流側ルーバ５０の中央フィン５１のフィン体５２には、下流側ルーバ５０全体を回動操作するための操作ノブ８０が連結されている。
【００４６】
図３及び図４に示すように、操作ノブ８０は、上下に分割して構成されており、上記中央フィン５１のフィン体５２を挟む。
また、操作ノブ８０は、上記中央フィン５１のフィン体５２に対して左右方向にスライド可能に設けられている。操作ノブ８０には、上流側に向けて延びる連結フォーク部８１が設けられている。連結フォーク部８１の先端部は、二股に分かれており、上流側ルーバ４０を構成する縦フィン４１の従動軸部４４を左右から挟む。
【００４７】
操作ノブ８０を介して中央フィン５１が操作軸部５３を中心に上方または下方に回動操作されると、その力が、アーム部５４を介して補助フィン５６，６２に伝達されるとともに傾動軸部６１，６７を介して操作ダイヤル７０に伝達される。このとき、操作ダイヤル７０の案内溝７２，７３と傾動軸部６１，６７とが係合されていることにより中央フィン５１に対する補助フィン５６，６２の傾き（角度）が固定された状態のまま支持軸部６０を中心に補助フィン５６，６２が回動される。
【００４８】
このように本実施形態のレジスタ１０は、エアの吹出し方向を変更すべく下流側リテーナ３０（ハウジング１１）に対して下流側ルーバ５０全体を回動させる回動機構６９を備えている。
【００４９】
また、操作ノブ８０が中央フィン５１に対して右方または左方に向けてスライド操作されると、連結フォーク部８１及び従動軸部４４を介して上流側ルーバ４０の中央の縦フィン４１が回動軸部４５を中心に回動されるとともに、連結軸部４６及びロッド４８を介して他の縦フィン４２が回動軸部４５を中心にそれぞれ回動される。
【００５０】
＜ベゼル９０＞
図１、図３〜図９に示すように、ベゼル９０は、正面視略長方形の外形を有するとともに上下方向において中央側ほど下流側に向けて突出する湾曲板状をなしており、その中央部には正面視略長方形のエアの吹出口９１を有している。ベゼル９０における吹出口９１の周縁部は車室内に露出して意匠面を構成する。また、吹出口９１の内周縁には、操作ダイヤル７０を車室内に突出させるための凹部９１ａが形成されている。
【００５１】
ベゼル９０の上部及び下部には、上流側に向けて突出するとともに係止孔９３を有する左右一対の係止片９２が設けられている。
図１及び図７に示すように、下流側リテーナ３０の係止爪３７がベゼル９０の係止片９２の係止孔９３にそれぞれ係止されることにより、下流側リテーナ３０とベゼル９０とが互いに組み付けられる。
【００５２】
図１、図４〜図１０に示すように、本実施形態の下流側ルーバ５０は、吹出口９１の内周面に対向して設けられている。
次に、本実施形態の作用について説明する。
【００５３】
図５及び図７に示すニュートラル送風モードにおいて、ユーザにより操作ダイヤル７０が、図１の下向きに回動操作される、すなわち図５の時計回り方向に回動操作されると、案内溝７２，７３に沿って傾動軸部６１，６７が内周側に向けてそれぞれ案内されることにより、送風モードが図６及び図９に示す拡散送風モードに変更される。
【００５４】
これとは反対に、図６及び図９に示す拡散送風モードにおいて、操作ダイヤル７０が、図１の上向きに回動操作される、すなわち図６の反時計回り方向に回動操作されると、案内溝７２，７３に沿って傾動軸部６１，６７が外周側に向けてそれぞれ案内されることにより、送風モードが図５及び図７に示すニュートラル送風モードに変更される。
【００５５】
下流側ルーバ５０によるエアの吹出し方向が図５及び図７に示す中立方向である状態において、ユーザにより操作ノブ８０が上向きに操作されると、回動機構６９により、図８に実線にて示すように、下流側ルーバ５０によるエアの吹出し方向が斜め上方に向けられる。また、ユーザにより操作ノブ８０が下向きに操作されると、回動機構６９により、図８に二点鎖線にて示すように、下流側ルーバ５０によるエアの吹出し方向が斜め下方に向けられる。
【００５６】
更に、図６及び図９に示すように、拡散送風モードであり、且つ下流側ルーバ５０によるエアの吹出し方向が中立方向である状態において、ユーザにより操作ノブ８０が上向きに操作されると、回動機構６９により、図１０に実線にて示すように、下流側ルーバ５０によるエアの吹出し方向が斜め上方に向けられる。また、ユーザにより操作ノブ８０が下向きに操作されると、回動機構６９により、図１０に二点鎖線にて示すように、下流側ルーバ５０によるエアの吹出し方向が斜め下方に向けられる。
【００５７】
本実施形態のレジスタ１０によれば、上記拡散送風モードにおいて、エアは補助フィン５６，６２の各々に沿って下流側に向けて中央フィン５１から離間するようにそれぞれ流れるようになる。また、こうした下流側ルーバ５０が吹出口９１の内周面に対向して設けられているため、下流側ルーバ５０により拡散されたエアの流れがリテーナ１２などのレジスタ１０の構成により阻害されるおそれがない。
【００５８】
以上説明した本実施形態に係る空調用レジスタによれば、以下に示す効果（１）〜（６）が得られるようになる。
（１）下流側ルーバ５０の中央フィン５１に対して、補助フィン５６，６２の上流側の端が近接するとともに補助フィン５６，６２の下流側の端が離間するように、中央フィン５１に対して一対の補助フィン５６，６２をそれぞれ傾動させる傾動機構６８を備えている。
【００５９】
こうした構成によれば、上記作用を奏することにより、吹出口９１から吹き出されるエアを効果的に拡散させることができる。
（２）補助フィン５６（６２）の各々は、互いに間隔をおいて対向配置された２つのフィン体５７，５８（６３，６４）と、２つのフィン体５７，５８（６３，６４）を互いに連結する連結部５９（６５）とをそれぞれ備えている。
【００６０】
こうした構成によれば、補助フィン５６（６２）における２つのフィン体５７，５８（６３，６４）の間を通じてエアが流れるようになる。このため、補助フィン５６（６２）のフィン体５７，５８（６３，６４）に沿ってエアを拡散させることが容易にできる。
【００６１】
（３）補助フィン５６（６２）の各々には、互いに平行に延びる傾動軸部６１（６７）が設けられている。傾動機構６８は、中央フィン５１に対して複数の補助フィン５６（６２）をそれぞれ傾動させるべく傾動軸部６１（６７）をそれぞれ案内する案内溝７２（７３）を有する操作ダイヤル７０を備えている。
【００６２】
こうした構成によれば、操作ダイヤル７０が回動操作されると、案内溝７２，７３により傾動軸部６１，６７がそれぞれ案内されることで、中央フィン５１に対して上下一対の補助フィン５６，６２がそれぞれ傾動される。したがって、傾動機構６８の構成を簡易なものとすることができる。
【００６３】
また、操作ダイヤル７０を備えているため、傾動機構６８を容易に操作することができる。
（４）中央フィン５１と隣り合う補助フィン５６，６２の上流側の端が、中央フィン５１の上流側の端よりもエアの流れ方向における上流側にそれぞれ位置している。
【００６４】
こうした構成によれば、中央フィン５１に対して上下一対の補助フィン５６，６２がそれぞれ傾動された状態（拡散送風モード）において、補助フィン５６，６２の内側フィン体５７，６３における上流側の端同士を互いに近接させることができる。このため、補助フィン５６，６２と中央フィン５１との間をエアが通り抜けることを抑制することができる。したがって、補助フィン５６（６２）のフィン体５７，５８（６３，６４）に沿ってエアを効果的に拡散させることができる。
【００６５】
（５）中央フィン５１のフィン体５２は上流側に向けて断面先細状をなしている。
こうした構成によれば、中央フィン５１に対して一対の補助フィン５６，６２がそれぞれ傾動された状態（拡散送風モード）において、補助フィン５６，６２の内側フィン体５７，６３における上流側の端同士を互いに近接させることができる。このため、補助フィン５６，６２と中央フィン５１との間をエアが通り抜けることを抑制することができる。したがって、補助フィン５６（６２）のフィン体５７，５８（６３，６４）に沿ってエアを効果的に流すことができる。
【００６６】
（６）エアの吹出し方向を変更すべく下流側リテーナ３０（ハウジング１１）に対して下流側ルーバ５０全体を回動させる回動機構６９を備えている。
こうした構成によれば、エアを拡散させることに加えて、エアの吹出し方向を変更することができる。
【００６７】
＜第２実施形態＞
以下、図１１〜図１３を参照して、第２実施形態について第１実施形態との相違点を中心に説明する。
【００６８】
なお、第１実施形態の構成と同一の構成については、同一の符号を付すことにより重複する説明を省略する。また、第１実施形態の構成と対応する構成については、「１００」を加算した符号「１＊＊」を付すことにより重複する説明を省略する。また、以降の説明では、レジスタ１１０におけるエアの流れ方向の上流側を前側と称し、エアの流れ方向の下流側を後側と称することがある。
【００６９】
図１１〜図１３に示すように、本実施形態のレジスタ１１０は、前後に押し引き操作可能な操作レバー１７０を備えている。
図１２（ａ）及び図１３（ａ）に示すように、操作レバー１７０には、前後方向に沿って延びるスライド孔１７１が形成されている。また、操作レバー１７０におけるスライド孔１７１の上方及び下方には、前側ほど上方及び下方に位置するように傾斜して延びる第１案内孔１７２及び第２案内孔１７３がそれぞれ形成されている。
【００７０】
スライド孔１７１には、中央フィン１５１の操作軸部１５３が挿通されている。操作軸部１５３は、スライド孔１７１の延びる方向に対して長い断面形状を有しており、スライド孔１７１に対して相対回動不能とされている。
【００７１】
第１案内孔１７２及び第２案内孔１７３には、補助フィン１５６，１６２の傾動軸部１６１，１６７がそれぞれ挿通されている。
図１２（ａ）及び図１２（ｂ）に示すように、スライド孔１７１の後縁及び前縁の双方から操作軸部１５３がそれぞれ離間しており、傾動軸部１６１，１６７が案内孔１７２，１７３の前縁にそれぞれ近接している。このとき、中央フィン１５１のフィン体１５２、上側補助フィン１５６の各フィン体１５７，１５８、下側補助フィン１６２の各フィン体１６３，１６４が互いに平行をなす（以下、ニュートラル送風モードと称する。）。
【００７２】
図１３（ａ）及び図１３（ｂ）に示すように、スライド孔１７１の後縁が操作軸部１５３に近接しており、傾動軸部１６１，１６７が案内孔１７２，１７３の後縁に近接している。このとき、補助フィン１５６，１６２が中央フィン１５１に対して以下の態様にて傾けられる。すなわち、図１３（ｂ）に示すように、ニュートラル送風モードのときに比べて、補助フィン１５６，１６２の上流側の端が中央フィン１５１に近接するとともに補助フィン１５６，１６２の下流側の端が中央フィン１５１から離間する（以下、拡散送風モードと称する。）。
【００７３】
このように本実施形態のレジスタ１１０は、中央フィン１５１に対して上下一対の補助フィン１５６，１６２をそれぞれ傾動させる傾動機構１６８を備えている。また、図示を省略するが、レジスタ１１０は、第１実施形態と同様な回動機構を備えている。
【００７４】
次に、本実施形態の作用について説明する。
図１２（ａ）及び図１２（ｂ）に示すニュートラル送風モードにおいて、ユーザにより操作レバー１７０が、前側に向けて押し操作されると、案内孔１７２，１７３に沿って傾動軸部１６１，１６７が斜め後下側及び斜め後上側に向けてそれぞれ案内される。これにより、送風モードが図１３（ａ）及び図１３（ｂ）に示す拡散送風モードに変更される。
【００７５】
これとは反対に、図１３（ｂ）及び図１３（ｂ）に示す拡散送風モードにおいて、操作レバー１７０が、後側に向けて引き操作されると、案内孔１７２，１７３に沿って傾動軸部１６１，１６７が斜め前上側及び斜め前下側に向けてそれぞれ案内される。これにより、送風モードが図１２（ａ）及び図１２（ｂ）に示すニュートラル送風モードに変更される。
【００７６】
以上説明した本実施形態に係る空調用レジスタによれば、第１実施形態の効果（１）、（２）、（４）〜（６）に準じた効果に加えて、新たに以下に示す効果（７）が得られるようになる。
【００７７】
（７）補助フィン１５６（１６２）の各々には、互いに平行に延びる傾動軸部１６１（１６７）が設けられている。傾動機構１６８は、中央フィン１５１に対して複数の補助フィン１５６（１６２）をそれぞれ傾動させるべく傾動軸部１６１（１６７）をそれぞれ案内する案内孔１７２（１７３）を有する操作レバー１７０を備えている。
【００７８】
こうした構成によれば、操作レバー１７０が押し引き操作されると、案内孔１７２，１７３により傾動軸部１６１，１６７がそれぞれ案内されることで、中央フィン１５１に対して上下一対の補助フィン１５６，１６２がそれぞれ傾動される。したがって、傾動機構１６８の構成を簡易なものとすることができる。
【００７９】
＜変形例＞
なお、上記実施形態は、例えば以下のように変更することもできる。
・第１実施形態では、下流側ルーバ５０全体を回動させる回動機構６９を備えるレジスタ１０について例示したが、こうした回動機構を備えていないレジスタとして本発明を具現化することもできる。
【００８０】
・中央フィン５１のフィン体５２を平板状にすることもできる。また、補助フィン５６（６２）の各フィン体５７，５８（６３，６４）を平板状にすることもできる。
・中央フィン５１のフィン体５２の上流側の端を、エアの流れ方向において補助フィン５６（６２）の内側フィン体５７（６３）の上流側の端と同一の位置、あるいはそれよりも上流側に設けることもできる。
【００８１】
・補助フィン５６，６２をそれぞれ１つのフィン体によって構成することもできる。
・下流側ルーバの中央フィン及び補助フィンを縦フィンにすることもできる。この場合、上流側ルーバを横フィンにすればよい。
【００８２】
・上流側ルーバを省略することもできる。
【符号の説明】
【００８３】
１０，１１０…レジスタ（空調用レジスタ）、１１…ハウジング、１２…リテーナ、１３…挿通孔、２０…上流側リテーナ、２１…挿通凹部、２５…ガイド部、２６…係止爪、３０…下流側リテーナ、３１…挿通凹部、３２…支持アーム、３３…支持孔、３４…収容凹部、３５…延出片、３６…係止孔、３７…係止爪、３８…支持孔、３９…挿通孔、４０…上流側ルーバ、４１，４２…縦フィン、４３…フィン本体、４４…従動軸部、４５…回動軸部、４６…連結軸部、４８…ロッド、４９…連結孔、５０，１５０…下流側ルーバ、５１，１５１…中央フィン、５２，１５２…フィン体、５３，１５３…操作軸部、５４，１５４…アーム部、５５，１５５…支持孔、５６，１５６…上側補助フィン、５７，１５７…内側フィン体、５８，１５８…外側フィン体、５８ａ…突部、５９，１５９…連結部、５９ａ…凹部、６０，１６０…支持軸部、６１，１６１…傾動軸部、６２，１６２…下側補助フィン、６３，１６３…内側フィン体、６４，１６４…外側フィン体、６４ａ…突部、６５，１６４…連結部、６５ａ…凹部、６６，１６６…支持軸部、６７，１６７…傾動軸部、６８，１６８…傾動機構、６９…回動機構、７０…操作ダイヤル（操作部材）、７１…中心孔、７２…第１案内溝（案内部）、７３…第２案内溝（案内部）、７４…凹部、７５…シム、８０…操作ノブ、８１…連結フォーク部、９０…ベゼル、９１…吹出口、９１ａ…凹部、９２…係止片、９３…係止孔、１７０…操作レバー（操作部材）、１７１…スライド孔、１７２…第１案内孔（案内部）、１７３…第２案内孔（案内部）。
【図１】
0006500235.tif 000002
【図２】
0006500235.tif 000003
【図３】
0006500235.tif 000004
【図４】
0006500235.tif 000005
【図５】
0006500235.tif 000006
【図６】
0006500235.tif 000007
【図７】
0006500235.tif 000008
【図８】
0006500235.tif 000009
【図９】
0006500235.tif 000010
【図１０】
0006500235.tif 000011
【図１１】
0006500235.tif 000012
【図１２】
0006500235.tif 000013
【図１３】
0006500235.tif 000014